(57)【要約】【課題】バックアップ領域を大きくせずに、白基準板位置と原稿読み取り位置での位置の違いによる照明輝度分布差に起因する画像ムラを補正することができる原稿読み取り装置を提供する。【解決手段】予め、シェーディング白板のＲＧＢ読み取りデータの１色分相当の読み取りデータと、原稿読み取り位置へ基準部材を置き読み取ったＲＧＢ読み取りデータの１色分相当の読み取りデータとの相関データを保持しておき、毎読み取り毎に、相関データに基づいてＲＧＢ各色のシェーディング補正をすることを特徴とする。【選択図】図５
2019029838.tif 000002
【特許請求の範囲】
【請求項１】
原稿を積載する原稿積載手段と、
原稿を搬送する原稿搬送部と、
前記搬送される原稿を読み取る原稿読み取り部と、
前記原稿読み取り部と原稿読取位置の間に配置される原稿読み取りガラスと、
原稿読取位置を挟んで前記原稿読取ガラスと対向に配置された原稿台ガラスと、
前記原稿台ガラスを挟んで前記原稿読取位置と対向に配置されたシェーディングデータを生成するための白基準板と、
前記原稿読み取り部で前記白基準板を読み取りシェーディングデータを生成するシェーディングデータ生成手段と、
前記シェーディングデータ生成手段で生成された前記シェーディングデータを保持するシェーディングデータ保持手段と、
前記シェーディングデータを補正する補正係数生成手段と、
を有する原稿読み取り装置において、
あらかじめ、前記自基準板のＲＧＢ読み取りデータにおける１色分相当の読取りデータと、前記原稿読み取り位置に濃度が一様な部材をおいて取得したＲＧＢ読取りデータにおける１色分相当の読取りデータと、の相関データを前記シェーディングデータ保持手段に保持しておき、読み取り前に取得した前記白基準板の読み取りデータと、前記相関データとからシェーディング係数を生成し、読み取ることを特徴とする画像読み取り装置。
【発明の詳細な説明】
【技術分野】
【０００１】
本発明は、原稿に記録された画像情報を読み取る原稿読み取り装置に関する。
【背景技術】
【０００２】
複写機やファクシミリ等の画像形成装置に適用される画像読取装置として、原稿の読み取りのスループットを早くする目的、または、搬送系路を複雑にせずに、搬送中の原稿のダメージや破損の可能性を低減する目的で、原稿の表裏両面の画像を一度に読み取れる装置が開発されている。
【０００３】
特許文献１に記載の画像読み取り装置は、装置をコンパクトにするために表面読み取り部と裏面読み取り部を近づけ対向に配置する構成で、表面読み取り部が配置される側の透光性原稿台面上であって表面読み取り部が光学的に原稿を読み取るときの光路を阻害しない位置に裏面読み取り部の光学系の補正を行う基準白板を設け基準白板が汚れにくい構成とする技術が記載されている。
【先行技術文献】
【特許文献】
【０００４】
【特許文献１】特開２００２−３３５３８０号公報
【発明の概要】
【発明が解決しようとする課題】
【０００５】
上記従来技術において特許文献１では、裏面読み取り部の基準白板配置は、搬送面の原稿読み取り位置より遠い位置にある。光源からの距離が遠くなると光の分布が暗く、より拡散する特性がある。そのため、読み取り位置から遠い白基準板でシェーディングを行うと、主走査中央部より主走査両端部は輝度が低いため主走査両端部のシェーディング係数は主走査中央部より高くなる。主走査両端部のシェーディング係数が高い状態で画像の読み取りを行ってシェーディング補正をすると、読み取り位置の方が白基準板より近いため、主走査両端部の輝度が中央部より高くなってしまう。
【０００６】
また主走査中央付近においては、白基準板における主走査方向の輝度分布と、搬送面での原稿読取り位置の主走査方向の輝度分布とでは、照明の拡散具合が異なるため同じとはならない。すなわち、遠い白基準板において生成したシェーディング係数を使って原稿を読み取ると、読み取り画像にムラが発生する。上記画像のムラに対し、予め奥に位置する代基準板のＲＧＢ３色ごとの輝度分布と、主走査方向に均一な濃度な部材で取得した原稿読み取り面でのＲＧＢ３色毎の輝度分布とにより、ＲＧＢ３色毎の相関性を算出する。
【０００７】
算出されたＲＧＢ３色毎の相関性をバックアップしておき、読み取り前にこのＲＧＢ３色毎の相関性に基づいてＲＧＢ３色毎のシェーディング補正係数を生成し，ＲＧＢ３色毎のシェーディング補正を行う。この時、白基準板の輝度分布と、原稿読み取り面での輝度分布により算出された相関性をバックアップするが、ＲＧＢ各色での相関性データをバックアップすることが必要となるためバックアップ領域が大きくなるという課題がある。
【０００８】
本発明の目的は、バックアップ領域を大きくせずに、白基準板位置と原稿読み取り位置での位置の違いによる照明輝度分布差に起因する画像ムラを補正することができる原稿読み取り装置を提供することである。
【課題を解決するための手段】
【０００９】
上記目的を達成するため、本発明に係る原稿読み取り装置は、原稿を積載する原稿積載手段と、原稿を搬送する原稿搬送部と、前記搬送される原稿を読み取る原稿読み取り部と、前記原稿読み取り部と原稿読取位置の間に配置される原稿読み取りガラスと、原稿読取位置を挟んで前記原稿読取ガラスと対向に配置された原稿台ガラスと、前記原稿台ガラスを挟んで前記原稿読取位置と対向に配置されたシェーディングデータを生成するための白基準板と、前記原稿読み取り部で前記白基準板を読み取りシェーディングデータを生成するシェーディングデータ生成手段と、前記シェーディングデータ生成手段で生成された前記シェーディングデータを保持するシェーディングデータ保持手段と、前記シェーディングデータを補正する補正係数生成手段と、を有する原稿読み取り装置において、あらかじめ、前記自基準板のＲＧＢ読み取りデータにおける１色分相当の読取りデータと、前記原稿読み取り位置に濃度が一様な部材をおいて取得したＲＧＢ読取りデータにおける１色分相当の読取りデータと、の相関データを前記シェーディングデータ保持手段に保持しておき、読み取り前に取得した前記白基準板の読み取りデータと、前記相関データとからシェーディング係数を生成し、読み取ることを特徴とする。
【発明の効果】
【００１０】
本発明によれば、バックアップ領域を大きくせずに、白基準板位置と原稿読み取り位置での位置の違いによる照明輝度分布差に起因する画像ムラを補正することができる。
【図面の簡単な説明】
【００１１】
【図１】原稿搬送読み取り装置の構成図である。
【図２】原稿搬送読み取り装置の制御構成図である。
【図３】白基準板と基準部材読み取り時の構成図である。
【図４】照度分布特性を示す図である。
【図５】第１の実施形態におけるバックアップ値Ｚ（ｎ）をバックアップするときのフローチャートである。
【図６】バックアップするＺ（ｎ）の主走査方向の波形を示す図である。
【図７】第１の実施形態における読み取り時のフローチャートである。
【図８】読み取り時の補正効果について示した図である。
【発明を実施するための形態】
【００１２】
以下に、本発明の実施の形態を添付の図面に基づいて説明する。
【００１３】
（第１の実施形態）
図１に、自動原稿搬送機構を搭載した原稿搬送読み取り装置１２０の構成を示す。図１において、１０１は原稿トレイであり、原稿１０２を積載する。（原稿１０２は以降白紙とする）。また図２のブロック図に記載の原稿搬送モータ１０５によって原稿ピックローラー１２１および原稿分離ローラー１２２、原稿搬送ローラー１２３、原稿オフセットローラ１２４を駆動する。原稿トレイ１０１上に載置された原稿１０２を給紙する。
【００１４】
原稿読み取りユニット１０６は、原稿読み取りガラス１１９と、原稿台ガラス１２６との間を搬送される原稿１０２を読み取る。
【００１５】
また原稿台ガラス１２６を挟んで、原稿読取位置１０７と対向に配置されたシェーディングデータを生成するための白基準板１２５がある。
【００１６】
原稿読み取りユニット１０６での原稿１０２の画像読み取りが終了すると、原稿１０２を排紙トレイ１０８に排出する。原稿読み取りユニット１０６は、原稿読み取り位置１０７の原稿面に対して不図示のＬＥＤ光源２０１の光を原稿１０２に照射する導光体２０２、ＣＩＳラインセンサ２０３、レンズ２０４、を有する。ＣＩＳラインセンサ２０３は、レンズ２０４にて導かれた原稿１０２からの反射光を受光素子で光電変換し、入射光量に応じた電気信号を出力する。
【００１７】
上記構成にて原稿読み取り装置にて原稿１０２を搬送させながら、原稿読み取り位置１０７で原稿１０２を読み取る。
【００１８】
図２は、本発明の実施形態における原稿読み取り装置の制御構成を示す図である、４０１は原稿読み取り装置を制御するためのメインＣＰＵであり、ＬＥＤ光源２０１、ＣＩＳラインセンサ２０３、原稿搬送モータ１０５、バックアップ用メモリ４０２を制御し原稿画像を読み取る制御を行う。
【００１９】
次に、画像信号の流れについて説明する。ＣＩＳラインセンサ２０３より読み取られた原稿の濃度に応じたＲＧＢ３色の電気信号は、Ａ／Ｄ変換回路４０３によりアナログ電気信号からＲＧＢ３色のデジタル画像信号に変換される。
【００２０】
次に、シェーディング補正回路４０４によりＬＥＤ光源２０１の光量の不均一性の影響やＣＩＳラインセンサ２０３のＲＧＢ各色の画素毎の感度ばらつきの影響を補正する。
【００２１】
ＣＰＵ４０１はシェーディング補正回路４０４からのデジタル画像信号を入力し、後述する計算用一時ＳＲＡＭ４０５やバックアップ用メモリ４０２とデータ送受信し、後述する補正を行っている。
【００２２】
バックアップ用メモリ４０２は、白基準板１２５の輝度分布データと、原稿読み取り位置１０７で濃度が一様な部材である基準部材５００を読み取った輝度分布データにて算出する相関データを記憶しておくための不揮発性のＲＡＭである。そして、ＣＰＵ４０１からリードライトし、ＣＰＵ４０１を介してシェーディング補正回路４０４との間でデータ送受信ができるようになっている。基準部材５００は、主走査方向に均一な濃度を持つ部材であり、均一な同度であれば濃度に限定はないが本実施形態では白としている（以降白基準部材とする）。
【００２３】
計算用一時ＲＡＭ４０５はバックアップ用メモリ４０２やシェーディング補正回路４０４のデータを一時的に格納する際などにＣＰＵ４０１が使用するためのＲＡＭであり、ＣＰＵ４０１が制御する事でデータの送受信が出来るように構成されている。
【００２４】
次にシェーディング補正回路４０４で行うシェーディング補正の詳細について説明する。シェーディング補正はＬＥＤ光源２０１の光量の不均一性の影響やＣＩＳラインセンサ２０３の画素毎の感度ばらつき、およびＲＧＢ各色の感度ばらつきの影響を補正するためにＲＧＢ各色において、各画素毎に以下の演算を行う。
シェーディング補正されたデータをシェーディング補正出力値（ｎ）とする。
【００２５】
シェーディング補正出力値（ｎ）
＝原稿読み取り値（ｎ）×読み取り目標値／シェーディングデータ（ｎ）
ｎ：ＣＩＳラインセンサ２０３の画素位置
原稿読取り値（ｎ）：原稿読取り位置１０７での原稿を読み取った時のデータ
読み取り目標値：白基準板１２５の白基準原稿を読み取ったときの読み取り値の目標値
シェーディングデータ：白基準板１２５の白基準原稿を読み取った時のデータ
シェーディング補正回路４０４は、ＣＰＵ４０１との通信により、シェーディング補正せずに、原稿読み取り値（ｎ）をそのまま出力することも可能である。
すなわち、シェーディング補正出力値（ｎ）＝原稿読み取り値（ｎ）、
ｎ＝ＣＩＳラインセンサ２０３の画素位置を示す。
この動作を以後「シェーディング補正オフ」と定義する。
【００２６】
上記シェーディング補正は、バックアップ用メモリ４０２に格納された白基準板１２５の輝度分布データに基づいてＲＧＢ各色のシェーディングデータをＣＰＵ４０１が演算しシェーディング補正回路４０４へ設定することにより処理を行う。
【００２７】
なお、本実施形態でのシェーディングデータは、バックアップ用メモリ４０２に格納された白基準板１２５の輝度分布データと、原稿読み取り位置１０７で濃度が一様な部材である基準部材５００を読み取った輝度分布データにて算出する相関データに基づいてＲＧＢ各色のシェーディングデータを算出している。相関データにて補正されたシェーディングデータＱの算出方法については後述する。
【００２８】
図３は、読み取りユニット１０６の読み取り状態を示した図である。図３（ａ）は、原稿読み取り位置１０７に何も置かれておらず、読み取りユニット１０６が白基準板１２５を読み取れる配置関係になっていることを示す図である。図３（ｂ）は、原稿読み取り位置１０７に基準部材５００を置き、読み取りユニット１０６が基準部材５００を読み取れる配置関係になっていることを示す図である。実施形において、図３（ｂ）の状態は次に説明するバックアップデータ生成方法において、作業者の手により実現される。
【００２９】
バックアップ用メモリ４０２に格納しておくデータの生成方法について、図３、図４、および図５のフローチャートを用いて説明する。図３（ａ）に示すように原稿読み取りユニット１０６が原稿台ガラス１２６へ当接している状態（図３（ａ））で、Ｓ１４０１において、ＣＰＵ４０１はサービスマンなどが不図示の操作パネルからの読み取り開始信号を操作し、その読み取り開始信号を検知して読み取り設定を行う。具体的にはＬＥＤ光源２０１を点灯，ＣＩＳラインセンサ２０３を読み取り制御し、シューディング補正オフする（Ｓ１４０１）。
【００３０】
Ｓ１４０２において、ＣＰＵ４０１は白基準板１２５のデータをサンプリングする。具体的には、白基準板１２５の読み取りデータＸ（ｎ）（ただしｎは画素位置）を、計算用一時ＳＲＡＭ４０５へ格納する（Ｓ１４０２）。
【００３１】
次に、作業者が図３（ｂ）に示すように、原稿読み取り位置１０７に基準部材５００を置く。（図３（ｂ））作業者は、基準部材５００を原稿読み取り位置１０７へ置いた後に不図示の操作パネルから読み取り開始の設定を行う。
【００３２】
Ｓ１４０３において、ＣＰＵ４０１は、前述した読み取り開始信号を検知して、基準部材５００のデータをサンプリングする。具体的には、基準部材５００の読み取りデータＹ（ｎ）（ただしｎは画素位置）を、計算用一時ＳＲＡＭ４０５内の別領域へ格納する（Ｓ１４０３）。本実施形態では、基準部材５００の読み取りデータＹ（ｎ）はＲＧＢ各色のデータのうちのＧのデータを格納している。
【００３３】
Ｓ１４０４において、ＣＰＵ４０１は相関データＺ（ｎ）の演算を行う。具体的には、
ＣＰＵ４０１が、計算用一時ＳＲＡＭ４０５より、白基準板１２５のＧの読み取りデータＸ（ｎ），基準部材５００のＧの読み取りデータＹ（ｎ）を読み出し、以下演算を行う（Ｓ１４０４）。
【００３４】
本実施形態ではＧのデータを使用しているため読み取りデータＸ（ｎ），基準部材５００のＧの読み取りデータＹ（ｎ）をそれぞれＸＧ（ｎ）、ＹＧ（ｎ）とした。
Ｚ（ｎ）＝ＹＧ（ｎ）／ＸＧ（ｎ）
ｎ：画素位置
Ｓ１４０５において、ＣＰＵ４０１は前述した読み取りデータＸＧ（ｎ）、ＹＧ（ｎ）より算出した相関データＺ（ｎ）をバックアップ用メモリ４０２へバックアップする（Ｓ１４０５）。本実施形態ではＲＧＢデータのＧデータにて相関データＺ（ｎ）を算出したが、Ｒデータ、またはＢデータのいずれかで算出しても良い。バックアップ用メモリ４０２への相関データＺ（ｎ）のデータバックアップは、工場出荷時や、読み取りユニット１０６が交換された場合、バックアップ用メモリ４０２が搭載された制御基板そのものが故障、交換された場合などのタイミングで実施される。
【００３５】
図５のフローチャートにおける、白基準板１２５の読み取りデータＸ（ｎ），基準部材５００の読み取りデータＹ（ｎ）の輝度分布の形状について、図４を用いて補足する。図４（ａ）は、点光源を想定したときの異なる読み取り位置における主走査輝度分布、図４（ｂ）は、ＬＥＤ２０１および、導光体２０２による照明輝度分布を異なる読み取り位置において、図示したものである。点線は、白基準板１２５を読んだ場合の照明輝度分布を示す。実線は、読み取り位置１０７に基準部材５００を置いて読んだ場合の照明輝度分布を示す。
【００３６】
導光体２０２は、導光体２０１に構成されている不図示の反射板（例えば白印刷反射板）によりＬＥＤ２０１からの照射光を原稿読み取り位置１０７や白基準板１２５に向かうように構成されている。この不図示の照射板は一様に構成されているが印刷位置ばらつき、濃度ばらつきなどにより輝度分布にムラが発生するが、シェーディングにより前記輝度分布のムラを補正している。
【００３７】
本実施形態ではさらに読み取り位置１０７、白基準板１２５の異なる位置における照明ムラが存在する。この異なる位置における照明ムラについて以下に説明する。
【００３８】
白基準板１２５の読み取りデータＸ（ｎ）は、以下二つの特徴をもつ。一点目は、図４（ｂ）点線に示すように、読み取り位置１０７よりも原稿台ガラス１２６の厚さの分、読み取りユニット１０６からは遠くなるため輝度が低いデータとなる（図４（ｂ））。
【００３９】
二点目は、図４（ｂ）点線に示すように、主走査中央部に対して、端部の読み取りデータが低くなる点である。図４（ｂ）点線に示す導光体による照明輝度分布４ｂを、図４（ａ）点線に示すように点光源（図４（ａ））のアレイであると考えると白基準板１２５の読み取りデータは、主走査中央部よりも端部が暗くなるデータとなる。
【００４０】
上記端部が暗くなるデータと記載したが、ＣＩＳラインセンサ２０３の有効領域に対し導光体２０２および白基準板１２５が主走査方向に十分に長い場合は前述したように端部が暗くなるデータとはならず主走査中央部と同じようなフラットなデータとなる。
【００４１】
本実施形態の構成では原稿搬送読み取り装置１２０の小型化のため導光体２０２および白基準板１２５が主走査方向に最短となる構成としているため、端部が暗くなるデータとなる。
【００４２】
基準部材５００の読み取りデータＹ（ｎ）は、読み取りユニット１０６に近い読み取り位置１０７で基準部材５００を読み取っており、以下二つの特徴を持つ。一点目は、図４（ｂ）実線に示すように、読み取りユニット１０６から近くなるため、輝度がＸ（ｎ）より高いデータとなる（図４（ｂ））。
【００４３】
二点目は、図４（ｂ）実線に示すように主走査中央部に対して、端部の読み取りデータがほぼフラットになる点である。
【００４４】
図４（ｂ）実線に示すように導光体による照明輝度分布（４（ｂ））を、図４（ａ）実線に示す点光源（図４（ａ）実線）のアレイであると考えると基準部材５００の読み取りデータは、主走査中央部と端部がほぼフラットな読み取りデータとなる。
【００４５】
バックアップする相関データＺ（ｎ）について、図６を用いて補足する。図６はバックアップする相関データＺ（ｎ）の主走査位置に対する波形形状を示した図である。Ｚ（ｎ）＝Ｙ（ｎ）／Ｘ（ｎ）であるので、主走査端部の相関データは主走査中央部の相関データに対し大きくなる。白基準板１２５の読み取りデータＸ（ｎ）は基準部材５００の読み取りデータＹ（ｎ）に対し輝度値が低くかつ光路長が長いため導光体２０２から照射される光が十分拡散され主走査方向にフラットなデータＸ（ｎ）となる。そのため前述相関データ算出式Ｚ（ｎ）＝Ｙ（ｎ）／Ｘ（ｎ）より主走査端部の相関データが主走査中央部に対し大きくなるデータとなる（図６）。
【００４６】
上記実施形態ではＧデータにて相関データＺ（ｎ）を算出したが、その他のＲデータ、Ｂデータにおいても上記のようなＧデータと同様な相関データＺ（ｎ）が取得できる。また、上記実施形態ではＧデータにて相関データＺ（ｎ）を算出したが、Ｒデータ、Ｇデータ、Ｂデータの平均値より１色分相当の相関データＺ（ｎ）を取得することでも良い。
【００４７】
以上の構成の画像読み取り装置における原稿読み取り動作を図７のフローチャート、を用いて説明する。作業者により不図示の操作パネルから読み取り開始の設定がされ、読み取り開始信号をＣＰＵ４０１にて検知すると、Ｓ１５０１において、ＣＰＵ４０１は読み取り動作の設定を行う。具体的には、ＣＰＵ４０１は、ＬＥＤ光源２０１を点灯，ＣＩＳラインセンサ２０３を読み取り制御し、シューディング補正をオフする（Ｓ１５０１）。
【００４８】
Ｓ１５０２において、ＣＰＵ４０１は白基準板１２５のデータサンプリングを行う。具体的には、白基準板１２５の読み取りデータＰ（ｎ）（ただしｎは画素位置）（図８（ａ））を取得する。上記のデータＰ（ｎ）はＲＧＢ各色存在しており、ＲデータをＰＲ（ｎ）、ＧデータをＰＧ（ｎ）、ＢデータをＰＢ（ｎ）を計算用一時ＳＲＡＭ４０５へ格納している（Ｓ１５０２）。
【００４９】
Ｓ１５０３において、原稿読み取り位置１０７におけるシェーディングデータＱ（ｎ）の算出を行う。具体的には、ＣＰＵ４０１は、計算用一時ＳＲＡＭ４０５へ格納された白基準板１２５のＲＧＢ各色の読み取りデータＰＲ（ｎ）、ＰＧ（ｎ）、ＰＢ（ｎ）と、予めバックアップ用メモリ４０２に格納された相関データＺ（ｎ）と、から以下演算を行い。
Ｒデータ
ＱＲ（ｎ）＝Ｚ（ｎ）×ＰＲ（ｎ）
Ｇデータ
ＱＧ（ｎ）＝Ｚ（ｎ）×ＰＧ（ｎ）
Ｂデータ
ＱＢ（ｎ）＝Ｚ（ｎ）×ＰＢ（ｎ）
ｎ：画素位置
シェーディングデータＱ（ｎ）を計算用一時ＳＲＡＭ４０５へ格納する（Ｓ１５０３、Ｓ１５０４）。
【００５０】
ＱＲ（ｎ）、ＱＧ（ｎ）、ＱＢ（ｎ）は、原稿読み取り位置１０７において、基準部材５００を読み取ったことに相当する読取りデータとなり、ＰＲ（ｎ）、ＰＧ（ｎ）、ＰＢ（ｎ）と比較すると、端部読み取りデータが大きくなるように補正されたデータとなる。
【００５１】
Ｓ１５０５において、ＣＰＵ４０１はシェーディングデータの設定を行う。具体的には、ＣＰＵ４０１は、ＲデータであるシェーディングデータＱＲ（ｎ）を、シェーディング補正回路４０４に設定する。
同様にＧデータ、ＢデータであるシェーディングデータＱＧ（ｎ）、ＱＢ（ｎ）も、シェーディング補正回路４０４に設定する。シェーディング補正回路４０４は、原稿読み取り値に対して以下演算を行う。
Ｒデータ
Ｒシェーディング補正出力値（ｎ）
＝Ｒ原稿読み取り値（ｎ）×読み取り目標値／シェーディングデータＱＲ（ｎ）
Ｇデータ
Ｇシェーディング補正出力値（ｎ）
＝Ｇ原稿読み取り値（ｎ）×読み取り目標値／シェーディングデータＱＧ（ｎ）
Ｂデータ
Ｂシェーディング補正出力値（ｎ）
＝Ｂ原稿読み取り値（ｎ）×読み取り目標値／シェーディングデータＱＢ（ｎ）
ｎ＝ＣＩＳラインセンサ２０３の画素位置を示す
原稿読取り値（ｎ）：原稿読取り位置１０７での原稿を読み取った時のデータ
読み取り目標値：白基準板１２５の白基準原稿を読み取ったときの任意の読み取り目標値
シェーディングデータＱ：白基準板１２５の白基準原稿を読み取り、相関データＺを掛けたデータ
Ｓ１５０６において、ＣＰＵ４０１は原稿読み取りを行う。具体的には、ＣＰＵ４０１は、ＬＥＤ光源２０１を点灯，ＣＩＳラインセンサ２０３を読み取り制御し、原稿搬送モータ１０５を駆動させ、原稿１０２を読み取り位置１０７を通過するように搬送し、原稿１０２を読み取る。
【００５２】
図７のフローチャートにおいて説明した原稿読み取り動作において、ＣＰＵ４０１が取得する読み取りデータを図８を用いて補足する。図８は、図７のフローチャートに沿った形でＣＰＵ４０１が取得できる主走査方向の輝度分布を示した図である。図８（ａ）は、Ｓ１５０２で取得する白基準板１２５の読み取りデータＰ（ｎ）の主走査輝度分布を示す。Ｐ（ｎ）はＲＧＢデータであるため、前述したようにＲＧＢデータをそれぞれＰＲ（ｎ）、ＲＧ（ｎ）、ＰＢ（ｎ）とする。横軸は主走査位置、縦軸は、読み取り値である。シェーディング補正をオフしているため、照明輝度分布そのものをサンプリングしていることと同義である。
【００５３】
図８（ｂ）は、Ｓ１５０３で取得するＱ（ｎ）の主走査輝度分布を示す。原稿読み取り位置１０７において、あたかも基準部材５００を読み取ったことに相当する読み取りデータであることを意味する。
Ｑ（ｎ）はＲＧＢデータであるため前述したようにＲＧＢデータをそれぞれＱＲ（ｎ）、ＱＧ（ｎ）、ＱＢ（ｎ）とする。
Ｒデータは
ＱＲ（ｎ）＝Ｚ（ｎ）×ＰＲ（ｎ）のため、ＰＲ（ｎ）と比較すると、端部は読み取りデータが大きくなるように補正される輝度分布となる。
同様にＧ、Ｂデータは下記となる
ＱＧ（ｎ）＝Ｚ（ｎ）×ＰＧ（ｎ）
ＱＢ（ｎ）＝Ｚ（ｎ）×ＰＢ（ｎ）
Ｇ，ＢデータもＰＧ（ｎ）、ＰＢ（ｎ）と比較すると読取りデータが大きくなるように補正される輝度分布となる。
【００５４】
図８（ｄ）は、Ｓ１５０６において読み取った原稿１０２のシェーディング補正出力値の主走査方向の輝度分布を示す。原稿１０２の読み取り値に対して、シェーディングデータＱ（ｎ）が各画素毎に除算され、主走査方向に対してフラットな画像を読み取ることができる。
【００５５】
白基準板のＲＧＢ３色毎の読み取り値と原稿読み取り位置での基準部材のＲＧＢ３色毎の読み取り値にて算出した１色分相当の相関データをあらかじめバックアップしておく。原稿読み取りの際に１色分相当の相関データに基づいてＲＧＢ３色のシェーディング補正を行うことで、白基準板位置と原稿読み取り位置での位置の違いによる照明輝度分布差に起因する画像ムラを補正することができる。それにより、３色のバックアップ領域ではなく１色分相当のバックアップ領域をすることでバックアップ領域の低減を可能としている。
【符号の説明】
【００５６】
１０１  原稿トレイ
１０２  原稿
１０５  原稿搬送モータ
１０６  原稿読み取りユニット
１０７  原稿読み取り位置
１０８  排紙トレイ
１１９  原稿読み取りガラス
１２０  原稿搬送読み取り装置
１２１  原稿ピックローラー
１２２  原稿分離ローラー
１２３  原稿搬送ローラー
１２４  原稿オフセットローラ
１２５  白基準板
１２６  原稿台ガラス
１５０  原稿読み取り装置
２０１  ＬＥＤ光源
２０２  導光体
２０３  ＣＩＳラインセンサ
２０４  レンズ
４０１  ＣＰＵ
４０２  バックアップ用メモリ
４０３  Ａ／Ｄ変換回路
４０４  シェーディング補正回路
４０５  計算用一時ＳＲＡＭ
５００  基準部材
【図１】
2019029838.tif 000003
【図２】
2019029838.tif 000004
【図３】
2019029838.tif 000005
【図４】
2019029838.tif 000006
【図５】
2019029838.tif 000007
【図６】
2019029838.tif 000008
【図７】
2019029838.tif 000009
【図８】
2019029838.tif 000010